(57)【要約】【課題】意匠性に優れ十分な強度及び剛性を保持する収納ボックス・ユニット及びその製造方法を提供することを目的とする。【解決手段】収納ボックス・ユニット１は、化粧シート３４が貼着される表面材３０を有する板状体１０が折りたたまれて多角形に形成され、板状体１０は、さらに、表面材３０の一部に嵌装されて板状体１０の剛性及び強度を補強する補強材５０を有し、表面材３０は、補強材嵌装用溝３８、３９が形成され、板状体１０は、複数の隅部形成溝１１が形成されており、複数の隅部形成溝１１は、化粧シート３４を残して板状体１０に形成された溝であり、各面２、４、６、８を形成し、板状体１０は、化粧シート３４が折り曲げられるとともに複数の隅部形成溝１１が閉じられ、補強材５０は、木材より剛性及び強度を有する部材であり、補強材嵌装用溝３８、３９に嵌合されて、板状体１０に嵌装されている。【選択図】図１
2019129912.tif 000002
【特許請求の範囲】
【請求項１】
適宜な剛性及び強度を有する木質の中間板材と、木質の基板の一方主面に化粧シートが貼着され他方主面で中間板材に巻着する表面材と、を有する板状体が折りたたまれて箱形に形成され、天部と２つの側部と底部とにより構成される収納ボックス・ユニットであって、
板状体は、
さらに、中間板材ないし表面材の一部に嵌装されて中間板材の剛性及び強度を補強する木材より剛性及び強度を有する補強材を有し、
収納ボックス・ユニットの隅部に対応する位置に被収納物差入方向に伸びる平行な複数の隅部形成溝が形成されており、
複数の隅部形成溝は、板状体の第２主面から第１主面に向けて第１主面の化粧シートを残して当該化粧シート側に溝底が位置するように板状体に形成された溝であり、板状体を区画して収納ボックス・ユニットの天部と２つの側部と底部とを形成し、
天部は、他の収納ボックス・ユニットの底部をその上面に載置できるように構成され、
側部は、他の収納ボックス・ユニットの側部と接し合わせて並列できるように構成され、
底部は、他の収納ボックス・ユニットの天部又は任意の平面上に載置できるように構成され、
板状体は、化粧シートが折り曲げられるとともに複数の隅部形成溝が閉じられ、かつ、板状体の延在方向の一方端部と他方端部とが接合されて、天部と２つの側部と底部とにより構成される箱形に形成され、
天部、側部又は底部は、１ｋｇ／ｄｍ2の荷重に対し０．５％以下のたわみ率となる強度を有していることを特徴とする、収納ボックス・ユニット。
【請求項２】
木質の基板の一方主面に化粧シートが貼着される表面材を有する板状体が折りたたまれて多角形に形成された収納ボックス・ユニットであって、
板状体は、さらに、表面材の一部に嵌装されて板状体の剛性及び強度を補強する補強材を有し、
表面材は、収納ボックス・ユニットの被収納物差入方向と直交ないし交差する方向に伸びる補強材嵌装用溝が形成され、
板状体は、収納ボックス・ユニットの隅部に対応する位置に被収納物差入方向に伸びる平行な複数の隅部形成溝が形成されており、
複数の隅部形成溝は、板状体の第２主面から第１主面に向けて第１主面の化粧シートを残して当該化粧シート側に溝底が位置するように板状体に形成された溝であり、板状体を区画して収納ボックス・ユニットの各面を形成し、
板状体は、化粧シートが折り曲げられるとともに複数の隅部形成溝が閉じられ、かつ、板状体の延在方向の一方端部と他方端部とが接合されて、多角形に形成され、
補強材は、木材より剛性及び強度を有する四角柱状、棒状ないし平板状の部材であり、補強材嵌装用溝に嵌合されて、板状体に嵌装されている、収納ボックス・ユニット。
【請求項３】
基板は、中密度繊維板であり、
化粧シートは、樹脂性シート又は樹脂含浸紙である、請求項１又は請求項２に記載の収納ボックス・ユニット。
【請求項４】
板状体は、適宜な剛性及び強度を有する木質の中間板材を有し、
表面材は、中間板材及び補強材に巻着する、請求項２に記載の収納ボックス・ユニット。
【請求項５】
補強材は、収納ボックス・ユニットの前面近傍の位置に相当する板状体の位置に嵌装されている、請求項１ないし請求項４に記載の収納ボックス・ユニット。
【請求項６】
板状体は、収納ボックス・ユニットの背面近傍の位置に相当する位置に延在方向に伸びる背板用溝が形成されており、
背板用溝に背板が嵌合される、請求項１ないし請求項５に収納ボックス・ユニット。
【請求項７】
板状体は、１ｋｇ／ｄｍ2の荷重に対し０．５％以下のたわみ率となる強度を有していることを特徴とする、請求項１ないし請求項５に記載の収納ボックス・ユニット。
【請求項８】
収納ボックス・ユニットは、他の収納ボックス・ユニットと接し合うように組み合わされて使用される際に、接し合う２つの板状体の後端面に接続金具が取り付けられており、
接続金具は、金属質の弾性部材であり、本体部と、本体部の両側から延びて板状体の第２主面から第１主面に向かって押圧するように弾性力で付勢されている２つの握持爪と、握持爪の先端から延びて２つの板状体の後端面が握持爪の内側に導入されることが容易になるように傾斜している２つの導入爪と、により構成される、請求項１ないし請求項７に記載の収納ボックス・ユニット。
【請求項９】
木質の基板の一方主面に化粧シートが貼着される表面材と、板状体の剛性及び強度を補強する補強材と、を準備する工程と、
表面材の延在方向に伸びる複数の溝を基板の他方主面から一方主面に向けて且つ化粧シートを残して当該化粧シート側に溝底が位置するように溝加工で形成する工程と、
表面材の延在方向に伸びる補強材嵌装用溝を表面材に切削する工程と、
補強材嵌装用溝に補強材を嵌合する工程と、
表面材の一方主面を外側にし他方主面を内側にして前記複数の溝を閉じるようにして板状体を形成する工程と、
板状体に、収納ボックス・ユニットの隅部に対応する位置で板状体の被収納物差入方向に伸びる複数の隅部形成溝を板状体の第２主面から第１主面に向けて第１主面の化粧シートを残して形成する工程と、
板状体を、化粧シートを折り曲げ且つ複数の隅部形成溝を閉じるように折りたたみ、更に、板状体の延在方向の一方端部と他方端部とを接合することにより、箱形ないし多角形にする工程と、
を含む、収納ボックス・ユニットの製造方法。
【発明の詳細な説明】
【技術分野】
【０００１】
本発明は、収納ボックス・ユニット及びその製造方法に関し、特に収納箱、収納棚又は収納間仕切り棚として用いることができる収納ボックス・ユニット及びその製造方法に関する。
【背景技術】
【０００２】
この発明の背景となる収納ボックス・ユニットとして、図１９、２０に示すように、製造加工が容易であり、前面、背面及び両側面が化粧されるとともに、積み重ね易いことを目的とする収納ボックスユニット１００が開示されている。すなわち、基板５２０の平面状主面に、化粧シート５４０が貼着された表面材５００が、該基板５２０の主面とは反対側の面より化粧シート５４０に向けて、収納ボックス・ユニット１００の隅部１８０、２００に対応する部位において適宜な間隔をあけて平行に折り曲げ溝６００を形成され、該化粧シート５４０を外表面にして、天部１２０及び側部１４０，１６０を構成する板状体３００に形成され、該板状体３００を化粧シート５４０を屈曲して正面視略コ字形に成形され、収納ボックスユニットの各々の側部を接し合わせて並列でき、且つ、天部の上又は平面上に載置できる接地面２６０、２８０を有する側部を備える収納ボックスユニット１００が開示されている（特許文献１参照）。
【先行技術文献】
【特許文献】
【０００３】
【特許文献１】特開２０１５−１８１８０３号公報
【発明の概要】
【発明が解決しようとする課題】
【０００４】
収納ボックスユニット１００は、隅部１８０、２００において化粧シート５４０に覆われて継目が見えないことから、それ以前の収納ボックス・ユニットに比して意匠性の向上が図られている。
【０００５】
しかし、収納ボックスユニット１００は、積み重ねられて収納棚等を形成する構成材としての収納ボックス・ユニットであることから、収納ボックス単体として必要とされる強度以上の強度が必要とされる。そのため、収納ボックスユニット１００は、板状体３００の厚みを、収納ボックス単体として必要とされる厚み以上の厚みとしていることから、意匠性において更なる向上の必要性があった。そこで、意匠性の更なる向上のため、板状体３００の厚みを低減することとすると、板状体３００の強度及び剛性の低下から、収納ボックスユニット１００にかかる荷重により板状体３００がたわむこととなり、寧ろ意匠性が低下するという問題があった。すなわち、板状体３００を薄くして、収納ボックスユニット１００の意匠性を向上しようとすると、強度及び剛性が不足するという問題があった。
【０００６】
そこで本発明は、このような問題を解決するためになされたもので、意匠性に優れ十分な強度及び剛性を保持する収納ボックス・ユニット及びその製造方法を提供することを目的とする。
【課題を解決するための手段】
【０００７】
この発明の請求項１にかかる収納ボックス・ユニットは、適宜な剛性及び強度を有する木質の中間板材と、木質の基板の一方主面に化粧シートが貼着され他方主面で中間板材に巻着する表面材と、を有する板状体が折りたたまれて箱形に形成され、天部と２つの側部と底部とにより構成される収納ボックス・ユニットであって、板状体は、さらに、中間板材ないし表面材の一部に嵌装されて中間板材の剛性及び強度を補強する木材より剛性及び強度を有する補強材を有し、収納ボックス・ユニットの隅部に対応する位置に被収納物差入方向に伸びる平行な複数の隅部形成溝が形成されており、複数の隅部形成溝は、板状体の第２主面から第１主面に向けて第１主面の化粧シートを残して当該化粧シート側に溝底が位置するように板状体に形成された溝であり、板状体を区画して収納ボックス・ユニットの天部と２つの側部と底部とを形成し、天部は、他の収納ボックス・ユニットの底部をその上面に載置できるように構成され、側部は、他の収納ボックス・ユニットの側部と接し合わせて並列できるように構成され、底部は、他の収納ボックス・ユニットの天部又は任意の平面上に載置できるように構成され、板状体は、化粧シートが折り曲げられるとともに複数の隅部形成溝が閉じられ、かつ、板状体の延在方向の一方端部と他方端部とが接合されて、天部と２つの側部と底部とにより構成される箱形に形成され、天部、側部又は底部は、１ｋｇ／ｄｍ2の荷重に対し０．５％以下のたわみ率となる強度を有していることを特徴とする。
【０００８】
この発明の請求項２にかかる収納ボックス・ユニットは、木質の基板の一方主面に化粧シートが貼着される表面材を有する板状体が折りたたまれて多角形に形成された収納ボックス・ユニットであって、板状体は、さらに、表面材の一部に嵌装されて板状体の剛性及び強度を補強する補強材を有し、表面材は、収納ボックス・ユニットの被収納物差入方向と直交ないし交差する方向に伸びる補強材嵌装用溝が形成され、板状体は、収納ボックス・ユニットの隅部に対応する位置に被収納物差入方向に伸びる平行な複数の隅部形成溝が形成されており、複数の隅部形成溝は、板状体の第２主面から第１主面に向けて第１主面の化粧シートを残して当該化粧シート側に溝底が位置するように板状体に形成された溝であり、板状体を区画して収納ボックス・ユニットの各面を形成し、板状体は、化粧シートが折り曲げられるとともに複数の隅部形成溝が閉じられ、かつ、板状体の延在方向の一方端部と他方端部とが接合されて、多角形に形成され、補強材は、木材より剛性及び強度を有する四角柱状、棒状ないし平板状の部材であり、補強材嵌装用溝に嵌合されて、板状体に嵌装されている。
【０００９】
この発明の請求項３にかかる収納ボックス・ユニットは、次のように構成されている。
すなわち、基板は、中密度繊維板であり、化粧シートは、樹脂性シート又は樹脂含浸紙である、ように構成されている。
【００１０】
この発明の請求項４にかかる収納ボックス・ユニットは、次のように構成されている。
すなわち、板状体は、適宜な剛性及び強度を有する木質の中間板材を有し、表面材は、中間板材及び補強材に巻着する、ように構成されている。
【００１１】
この発明の請求項５にかかる収納ボックス・ユニットは、次のように構成されている。
すなわち、補強材は、収納ボックス・ユニットの前面近傍の位置に相当する板状体の位置に嵌装されている、ように構成されている。
【００１２】
この発明の請求項６にかかる収納ボックス・ユニットは、次のように構成されている。
すなわち、板状体は、収納ボックス・ユニットの背面近傍の位置に相当する位置に延在方向に伸びる背板用溝が形成されており、背板用溝に背板が嵌合される、ように構成されている。
【００１３】
この発明の請求項７にかかる収納ボックス・ユニットは、次のように構成されている。
すなわち、板状体は、１ｋｇ／ｄｍ2の荷重に対し０．５％以下のたわみ率となる強度を有していることを特徴とする、ように構成されている。
【００１４】
この発明の請求項８にかかる収納ボックス・ユニットは、次のように構成されている。
すなわち、収納ボックス・ユニットは、他の収納ボックス・ユニットと接し合うように組み合わされて使用される際に、接し合う２つの板状体の後端面に接続金具が取り付けられており、接続金具は、金属質の弾性部材であり、本体部と、本体部の両側から延びて板状体の第２主面から第１主面に向かって押圧するように弾性力で付勢されている２つの握持爪と、握持爪の先端から延びて２つの板状体の後端面が握持爪の内側に導入されることが容易になるように傾斜している２つの導入爪と、により構成される。
【００１５】
この発明の請求項９にかかる収納ボックス・ユニットの製造方法は、木質の基板の一方主面に化粧シートが貼着される表面材と、板状体の剛性及び強度を補強する補強材と、を準備する工程と、表面材の延在方向に伸びる複数の溝を基板の他方主面から一方主面に向けて且つ化粧シートを残して当該化粧シート側に溝底が位置するように溝加工で形成する工程と、表面材の延在方向に伸びる補強材嵌装用溝を表面材に切削する工程と、補強材嵌装用溝に補強材を嵌合する工程と、表面材の一方主面を外側にし他方主面を内側にして前記複数の溝を閉じるようにして板状体を形成する工程と、板状体に、収納ボックス・ユニットの隅部に対応する位置で板状体の被収納物差入方向に伸びる複数の隅部形成溝を板状体の第２主面から第１主面に向けて第１主面の化粧シートを残して形成する工程と、板状体を、化粧シートを折り曲げ且つ複数の隅部形成溝を閉じるように折りたたみ、更に、板状体の延在方向の一方端部と他方端部とを接合することにより、箱形ないし多角形にする工程と、を含む。
【００１６】
請求項１の収納ボックス・ユニットによれば、収納ボックス・ユニットは、適宜な剛性及び強度を有する木質の中間板材と、木質の基板の一方主面に化粧シートが貼着され他方主面で中間板材に巻着する表面材と、を有する板状体が折りたたまれて箱形に形成され、天部と２つの側部と底部とにより構成され、板状体は、さらに、中間板材ないし表面材の一部に嵌装されて中間板材の剛性及び強度を補強する木材より剛性及び強度を有する補強材を有しているので、箱形となった収納ボックス・ユニットの構造材をなす板状体が木材より剛性及び強度を有する補強材に補強されて、収納ボックス・ユニットの剛性及び強度は、中間板材又は表面材のみを構造材とするものと比して、向上することとなる。
【００１７】
詳細には、適宜な剛性及び強度を有する木質の中間板材と、木質の基板の一方主面に化粧シートが貼着され他方主面で中間板材に巻着する表面材と、中間板材ないし表面材の一部に嵌装されて中間板材の剛性及び強度を補強する木材より剛性及び強度を有する補強材と、を有する板状体は、収納ボックス・ユニットの隅部に対応する位置に被収納物差入方向に伸びる平行な複数の隅部形成溝が形成されており、複数の隅部形成溝は、板状体の第２主面から第１主面に向けて第１主面の化粧シートを残して当該化粧シート側に溝底が位置するように板状体に形成された溝であり、板状体を区画して収納ボックス・ユニットの天部と２つの側部と底部とを形成するので、板状体を複数の隅部形成溝で折りたたむことが可能となっている。そして、板状体は、化粧シートが折り曲げられるとともに複数の隅部形成溝が閉じられ、かつ、板状体の延在方向の一方端部と他方端部とが接合されて、天部と２つの側部と底部とにより構成される箱形に形成される。中間板材と表面材とにより構成される板状体は、収納ボックス・ユニットの構造材として適宜な剛性及び強度を有しているものの、木質であることから、特に曲げ荷重による曲げモーメントが作用されると、変形を免れない。加えて、曲げ応力＝曲げモーメント／断面係数であり、断面係数は、部材の厚みに依存することから、板状体が薄ければ薄いほど、曲げ応力が増大し、板状体は変形し易くなる。
しかし、木材より剛性及び強度を有する補強材によって補強された板状体は、中間板材又は表面材のみを構造材とする板状体に比して、板状体の剛性及び強度が向上し、同じ曲げ応力に対して変形し難くなる。そして、収納ボックス・ユニットは、天部、側部又は底部が、１ｋｇ／ｄｍ2の荷重に対し０．５％以下のたわみ率となる強度を有しているので、収納ボックス・ユニットとしての意匠性を損なうような変形をすることがない。
そして、収納ボックス・ユニットは、天部、側部又は底部が、１ｋｇ／ｄｍ2の荷重に対し０．５％以下のたわみ率となる強度を維持する範囲で、板状体の厚みを低減することにより、意匠性を向上しつつ十分な強度及び剛性を保持することができる。
加えて、板状体の厚みを低減することとすれば、同じ外寸法の従前の収納ボックス・ユニットに比して、収納ボックス・ユニットの収納容積を向上することができる。
【００１８】
請求項２の収納ボックス・ユニットによれば、木質の基板の一方主面に化粧シートが貼着される表面材を有する板状体が折りたたまれて多角形に形成された収納ボックス・ユニットであって、板状体は、さらに、表面材の一部に嵌装されて板状体の剛性及び強度を補強する補強材を有し、表面材は、収納ボックス・ユニットの被収納物差入方向と直交ないし交差する方向に伸びる補強材嵌装用溝が形成され、補強材は、木材より剛性及び強度を有する四角柱状、棒状ないし平板状の部材であり、補強材嵌装用溝に嵌合されて、板状体に嵌装されているので、補強材の厚みを確保し、板状体の剛性及び強度が向上しながら、板状体の厚みを低減することができ、意匠性を向上しつつ十分な強度及び剛性を保持することができる。
加えて、板状体の厚みを低減することとすれば、同じ外寸法の従前の収納ボックス・ユニットに比して、収納ボックス・ユニットの収納容積を向上することができる。
【００１９】
請求項３の収納ボックス・ユニットによれば、基板は、中密度繊維板であり、化粧シートは、樹脂性シート又は樹脂含浸紙であるので、軽量で高い加工性があり、電気絶縁性、耐水性、耐薬品性に優れている。加えて、化粧シートは、割けにくくて折り曲げができる。
【００２０】
請求項４の収納ボックス・ユニットによれば、板状体は、適宜な剛性及び強度を有する木質の中間板材を有し、表面材は、中間板材及び補強材に巻着するので、板状体すなわち収納ボックス・ユニットは、適宜な剛性及び強度を有するとともに、中間板材及び補強材が外部から見えないので、美観が向上している。
【００２１】
請求項５の収納ボックス・ユニットによれば、補強材は、収納ボックス・ユニットの前面近傍の位置に相当する板状体の位置に嵌装されているので、収納ボックス・ユニットの前面近傍に作用する荷重に対して、収納ボックス・ユニットの剛性及び強度を向上することができる。
【００２２】
請求項６の収納ボックス・ユニットによれば、板状体は、収納ボックス・ユニットの背面近傍の位置に相当する位置に延在方向に伸びる背板用溝が形成されており、背板用溝に背板が嵌合されるので、収納ボックス・ユニットの背面近傍に作用する荷重に対して、収納ボックス・ユニットの剛性及び強度を向上することができる。
【００２３】
請求項７の収納ボックス・ユニットによれば、板状体は、１ｋｇ／ｄｍ2の荷重に対し０．５％以下のたわみ率となる強度を有していることを特徴とするので、板状体すなわち収納ボックス・ユニットにかかる荷重によっても目視でたわみを認識することができない。したがって、収納ボックス・ユニットの美観が向上している。
【００２４】
請求項８の収納ボックス・ユニットによれば、収納ボックス・ユニットは、他の収納ボックス・ユニットと接し合うように組み合わされて使用される際に、接し合う２つの板状体の後端面に接続金具が取り付けられており、接続金具は、金属質の弾性部材であり、本体部と、本体部の両側から延びて板状体の第２主面から第１主面に向かって押圧するように弾性力で付勢されている２つの握持爪と、握持爪の先端から延びて２つの板状体の後端面が握持爪の内側に導入されることが容易になるように傾斜している２つの導入爪と、により構成されるので、特別な工具を必要とせず人の手により、簡単に他の収納ボックス・ユニットと接続され、組み合わされて使用されることができ、また、組み合わされた収納ボックス・ユニットは、解体されることができる。
【００２５】
請求項９の収納ボックス・ユニットの製造方法によれば、表面材のみを構造材とする収納ボックス・ユニットと比して、剛性及び強度が向上する収納ボックス・ユニットを製造することができる。
【発明の効果】
【００２６】
したがって、この発明に係る収納ボックス・ユニットによれば、意匠性に優れ十分な強度及び剛性を保持することができる。
【００２７】
この発明の上述の目的、その他の目的、特徴及び利点は、図面を参照して行う以下の発明を実施するための形態の説明から一層明らかとなろう。
【図面の簡単な説明】
【００２８】
【図１】本発明の第１の実施の形態に係る収納ボックス・ユニットを示す斜視図である。
【図２】本発明の第１の実施の形態に係る収納ボックス・ユニットを示す正面図である。
【図３】本発明の第１の実施の形態に係る収納ボックス・ユニットを示す平面図である。
【図４】本発明の第１の実施の形態に係る収納ボックス・ユニットを示す横断面図である。
【図５】本発明の第１の実施の形態に係る収納ボックス・ユニットを板状体を折りたたんで形成する過程を示す斜視図である。
【図６】本発明の第１の実施の形態に係る収納ボックス・ユニットの背板を示す図であり、（ａ）は、正面図であり、（ｂ）は、右側面図である。
【図７】本発明の第１の実施の形態に係る板状体を示す斜視図である。
【図８】本発明の第１の実施の形態に係る板状体を示す図であり、（ａ）は、平面図であり、（ｂ）は、正面図である。
【図９】本発明の第１の実施の形態に係る板状体の断面図であり、図８のＩＸ−ＩＸ断面図である。
【図１０】本発明の第１の実施の形態に係る板状体の構成部材を展開した状態で示す斜視図である。
【図１１】本発明の第１の実施の形態に係る板状体を、表面材を中間板材に巻着して形成する過程を示す斜視図である。
【図１２】本発明の第１の実施の形態に係る板状体の構成部材である表面材を展開した状態で示す右側面図である。
【図１３】本発明の第１の実施の形態に係る板状体を、表面材を中間板材に巻着して形成する過程を示す右側面図である。
【図１４】図１３の前端部分拡大図である。
【図１５】図１３の中央部分拡大図である。
【図１６】本発明の第１の実施の形態に係る板状体であって表面材を中間板材に巻着して形成された後の板状体の右側面図である。なお、図１６は、図９と、上面と下面との位置関係について逆の位置関係となっている。また、図１６において、背板用溝は形成されていない。
【図１７】本発明の第１の実施の形態に係る収納ボックス・ユニットの使用例を示す背面側の斜視図である。
【図１８】本発明の第１の実施の形態に係る収納ボックス・ユニットが接続金具によって接続されている状態を示す断面図であって、図１７のＡ−Ａ断面図である。
【図１９】従来の収納ボックス・ユニットを示す斜視図である。
【図２０】従来の収納ボックス・ユニットに係る板状体を示す図であり、（ａ）は平面図であり、（ｂ）は正面図である。
【図２１】本発明の第２の実施の形態に係る収納ボックス・ユニットを示す正面図である。
【図２２】本発明の第２の実施の形態に係る収納ボックス・ユニットを示す縦断面図である。
【図２３】本発明の第２の実施の形態に係る収納ボックス・ユニットの棚板を示す斜視図である。
【図２４】本発明の第２の実施の形態に係る収納ボックス・ユニットの棚板を示す図であり、（ａ）は図２３のＢ−Ｂ断面図であり、（ｂ）は展開した棚板用表面材を示す右側面図である。
【図２５】本発明の第３の実施の形態に係る収納ボックス・ユニットを示す正面図である。
【図２６】本発明に係る補強材の変形例を示す断面図である。
【発明を実施するための形態】
【００２９】
本発明の各実施形態に係る収納ボックス・ユニットを図面に基づいて説明する。以下では、収納ボックス・ユニットに関する方向を、図１の方向スケールに基づいて、定義する。すなわち、収納ボックス・ユニットの天部を上側、底部を下側、被収納物を収納するために差し入れる側を前側、前側の反対側を後側、前側から収納ボックス・ユニットを見て左側を左側、左側の反対側を右側と、定義する。また、前後方向は、収納ボックス・ユニットの収納空間に被収納物を差し入れる方向すなわち被収納物差入方向である。左右方向は、収納ボックス・ユニットを展開した状態での板状体の延在方向であり、さらに、板状体を展開した状態での、中間板材又は表面材の延在方向である。
なお、以下に示す実施の形態は本発明を具体化した一例であって、本発明の技術的範囲を限定するものではない。
【００３０】
＜第１の実施の形態＞
図１に示すように、収納ボックス・ユニット１は、中空の略立方体形状で前面を開口する箱状のものであり、その内面で衣類・食器・書籍等の多様な生活品を収納することができる収納ボックスである。さらに、収納ボックス・ユニット１は、単体で収納ボックスとして使用できるばかりでなく、２つ以上組み合わせて多様な形態で使用することができ、例えば大型の収納棚、テレビ・ボードとして使用することや、収納間仕切りとしても使用することができるものである。
【００３１】
図１に示すように、収納ボックス・ユニット１は、天部２と側部４と底部６と側部８と背板９とにより構成される。天部２と側部４と底部６と側部８とは、後述する一枚の板状体１０が複数の隅部形成溝１１によって区画されて、形成されている。すなわち、収納ボックス・ユニット１は、板状体１０が折りたたまれて箱形に形成され、天部２と、天部２の左端及び右端に連設された２つの側部４、８と、一方の側部４と他方の側部８との間に跨って連設された底部６と、により構成されている。収納ボックス・ユニット１は、天部２と側部４及び側部８とが直交し、天部２と底部６とが平行な略直方体である。
収納ボックス・ユニット１の寸法は、例えば、外面形状において、上下方向の長さが３９２ｍｍであり、左右方向の長さが３９２ｍｍであり、前後方向の長さが２９５ｍｍであり、内面形状において、上下方向の長さが３７６ｍｍであり、左右方向の長さが３７６ｍｍであり、前後方向の長さが２８２ｍｍである。以下、各構成要素について詳述する。
【００３２】
図１、図２及び図３に示すように、天部２は、収納ボックス・ユニット１の上部を構成する板状の部材である。天部２は、略平面状に形成されている。これは、収納ボックス・ユニット１が、他の収納ボックス・ユニット１を積み重ねて使用されるときに、他の収納ボックス・ユニットの底部が載置されることを可能とするために、天部２は、略平面状に形成されているものである。すなわち、天部２は、他の収納ボックス・ユニットの底部をその上面に載置できるように構成されている。
【００３３】
天部２は、正面視において逆ハの字状の台形状であり、平面視において方形状である。天部２は、その上面及び下面が平面状であるように形成されている。天部２は、背板９が嵌合されるための下面側かつ背面近傍であって左右方向に伸びる背板用溝１３が形成されている。天部２は、側部４との接合面（すなわち後述する第１の隅部形成溝１１ａ）、側部４との接合面（すなわち後述する板状体１０の一方端部１２ａ）並びに背板用溝１３を除いて、化粧シート３４に覆われて表面の美観が向上するように化粧されている。天部２の左端は、収納ボックス・ユニット１の隅部５（第１の隅部５ａ）を構成し、天部２の右端は、収納ボックス・ユニット１の隅部５（第４の隅部５ｄ）を構成する。天部２は、後述するように、第１の隅部形成溝１１ａと板状体の一方端部１２ａとにより板状体１０が区画されて形成されている。天部２の寸法は、例えば、上面の前後方向の長さが２９５ｍｍであり、左右方向の長さが３９２ｍｍであり、下面の前後方向の長さが２９５ｍｍであり、左右方向の長さが３７６ｍｍであり、厚み（上面と下面との間の長さ）が７．９ｍｍである。
【００３４】
図１、図２及び図３に示すように、側部４は、収納ボックス・ユニット１の左部を構成する板状の部材である。側部４は、略平面状に形成されている。これは、収納ボックス・ユニット１が、他の収納ボックス・ユニット１と並列して使用されるときに、他の収納ボックス・ユニットの側部が接し合うことを可能とするために、側部４は、略平面状に形成されているものである。すなわち、側部４は、他の収納ボックス・ユニットの側部と接し合わせて並列できるように構成されている。
【００３５】
側部４は、正面視においてハの字を時計回りに９０度回転した台形状であり、側面視において方形状である。側部４は、その左面及び右面が平面状であるように形成されている。側部４は、背板９が嵌合されるための右面側かつ背面近傍であって上下方向に伸びる背板用溝１３が形成されている。側部４は、天部２との接合面（すなわち後述する第１の隅部形成溝１１ａ）、底部６との接合面（すなわち後述する第２の隅部形成溝１１ｂ）並びに背板用溝１３を除いて、化粧シート３４に覆われて表面の美観が向上するように化粧されている。側部４の上端は、収納ボックス・ユニット１の隅部５（第１の隅部５ａ）を構成し、側部４の下端は、収納ボックス・ユニット１の隅部５（第２の隅部５ｂ）を構成する。側部４は、後述するように、第１の隅部形成溝１１ａと第２の隅部形成溝１１ｂとにより板状体１０が区画されて形成されている。側部４の寸法は、天部２の寸法と同様である。
【００３６】
図１、図２及び図３に示すように、底部６は、収納ボックス・ユニット１の下部を構成する板状の部材である。底部６は、略平面状に形成されている。これは、収納ボックス・ユニット１が、他の収納ボックス・ユニット１を積み重ねて使用されるときに、他の収納ボックス・ユニットの天部又は床面等の平面に載置することを可能とするために、底部６は、略平面状に形成されているものである。すなわち、底部６は、他の収納ボックス・ユニットの天部又は任意の平面上に載置できるように構成されている。
【００３７】
底部６は、正面視においてハの字状の台形状であり、底面視において方形状である。底部６は、その上面及び下面が平面状であるように形成されている。底部６は、背板９が嵌合されるための上面側かつ背面近傍であって左右方向に伸びる背板用溝１３が形成されている。底部６は、側部４との接合面（すなわち後述する第２の隅部形成溝１１ｂ）、側部８との接合面（すなわち後述する第３の隅部形成溝１１ｃ）並びに背板用溝１３を除いて、化粧シート３４に覆われて表面の美観が向上するように化粧されている。底部６の左端は、収納ボックス・ユニット１の隅部５（第２の隅部５ｂ）を構成し、底部６の右端は、収納ボックス・ユニット１の隅部５（第３の隅部５ｃ）を構成する。底部６は、後述するように、第２の隅部形成溝１１ｂと第３の隅部形成溝１１ｃとにより板状体１０が区画されて形成されている。底部６の寸法は、天部２の寸法と同様である。
【００３８】
図１、図２及び図３に示すように、側部８は、収納ボックス・ユニット１の右部を構成する板状の部材である。側部８は、略平面状に形成されている。側部８は、側部４と同様に、他の収納ボックス・ユニットの側部と接し合わせて並列できるように構成されている。
【００３９】
側部８は、正面視においてハの字を反時計回りに９０度回転した台形状であり、側面視において方形状である。側部８は、その左面及び右面が平面状であるように形成されている。側部８は、背板９が嵌合されるための左面側かつ背面近傍であって上下方向に伸びる背板用溝１３が形成されている。側部８は、天部２との接合面（すなわち後述する板状体１０の他方端部１２ｂ）、底部６との接合面（すなわち後述する第３の隅部形成溝１１ｃ）並びに背板用溝１３を除いて、化粧シート３４に覆われて表面の美観が向上するように化粧されている。側部８の下端は、収納ボックス・ユニット１の隅部５（第３の隅部５ｃ）を構成し、側部８の上端は、収納ボックス・ユニット１の隅部５（第４の隅部５ｄ）を構成する。側部８は、後述するように、第３の隅部形成溝１１ｃと板状体の他方端部１２ｂとにより板状体１０が区画されて形成されている。側部８の寸法は、天部２の寸法と同様である。
【００４０】
図１、図２、図３及び図４に示すように、背板９は、正面視において方形状であり、天部２、側部４、底部６及び側部８に形成された背板用溝１３に嵌合されて、天部２、側部４、底部６及び側部８によって形成される背面側の開口を閉じる板状部材である。背板９は、後述する表面材３０を構成する基材３２と同一の材料で形成されおり、例えば、中密度繊維板（ＭＤＦ）で形成されている。背板９の寸法は、例えば、上下方向の長さ、左右方向の長さが３８５ｍｍであり、前後方向の厚みが５．４ｍｍである。背板９は、好ましくは、厚さ２．７ｍｍの中密度繊維板が２枚重ねられて形成され、前側は、化粧シート３４によって化粧されて意匠性が向上されているように形成されている。
【００４１】
図１、図２及び図３に示すように、収納ボックス・ユニット１の前面３は、正面視において略口の字形で開口している。一方、収納ボックス・ユニット１の背面は、背板９によって閉じられている。したがって、収納ボックス・ユニット１は、その内面において天部２、側部４、底部６、側部８及び背板９に囲まれて直方体状の収納空間を形成している。
【００４２】
図１に示すように、収納ボックス・ユニット１の前面３のうち天部２、側部４、底部６及び側部８の前端面すなわち後述する板状体１０の前端面１２ｆは、前方に突き出た略Ｃ面となっている。詳細には、前面３は、前後方向に対して斜交する第１前端面３ｆ１と上下かつ左右方向に平行である第２前端面３ｆ２と前後方向に対して斜交する第３前端面３ｆ３とにより構成されている。例えば、天部２の前端面の断面視において、第１前端面３ｆ１は、天部２の上面から屈曲して斜め前下に向かって傾斜し、第２前端面３ｆ２は、第１前端面３ｆ１から屈曲して真下に向かって下垂し、第３前端面３ｆ３は、第２前端面３ｆ２から屈曲して斜め後下に向かって傾斜する。これにより、収納ボックス・ユニット１の前面３は、正面視において、天部２、側部４、底部６及び側部８の実際の厚みよりも薄い板状部材で形成されている印象を抱かせることができる。
後述するように、第１前端面３ｆ１は、板状体１０を構成する表面材第４構成部３０ｃ４により形成されており、第２前端面３ｆ２は、板状体１０を構成する表面材第５構成部３０ｃ５により形成されており、第３前端面３ｆ３は、板状体１０を構成する面取り部３６ｅ２により形成されている。
【００４３】
（板状体）
図５に示すように、板状体１０は、箱形に折りたたまれて収納ボックス・ユニット１の天部２、側部４、底部６及び側部８を形成するための板状部材である。言い換えれば、板状体１０は、収納ボックス・ユニット１を左右方向に展開した板状部材である。図７及び図８に示すように、展開された板状体１０は、平面視において直方形状であり、正面視において、左右方向の辺の中途に、上下方向に切削されたＶの字状の溝であって前後方向に伸び板状体１０を折るための複数の隅部形成溝１１が形成されている。板状体１０の左右方向の一方端部１２ａと他方端部１２ｂとは、互いに接続可能に形成されている。収納ボックス・ユニット１形成前の展開した板状体１０における下側の主面は、第１主面１０ｐ１であり、反対側の主面は、第２主面１０ｐ２である。板状体１０の寸法は、例えば、上下方向の最大長さ（厚み）が７．９ｍｍであり、前後方向の最大長さが２９５ｍｍであり、左右方向の最大長さが１，５６８ｍｍである。板状体１０の前後方向は、収納ボックス・ユニット１の前後方向すなわち被収納物差入方向であり、板状体１０の左右方向は、収納ボックス・ユニット１の左右方向すなわち延在方向であり、板状体１０の上下方向は、収納ボックス・ユニット１の上下方向である。収納ボックス・ユニット１形成前の展開した板状体１０の下面は、収納ボックス・ユニット１の天部２、側部４、底部６及び側部８の外面である。
【００４４】
図７に示すように、板状体１０は、中間板材２０と表面材３０と補強材５０とにより構成される。中間板材２０は、板状体１０すなわち収納ボックス・ユニット１の内側でその構造を支えるための板状部材である。すなわち、中間板材２０は、板状体１０の芯材である。表面材３０は、板状体１０すなわち収納ボックス・ユニット１の表面側で、中間板材２０を覆うことで、美観を向上するとともに、収納ボックス・ユニット１としての表面的機能、例えば耐水性、表面剛性、を確保するための部材である。補強材５０は、板状体１０すなわち収納ボックス・ユニット１すなわち中間板材２０の剛性及び強度を補強するための金属質の部材である。
【００４５】
中間板材２０は、板状体１０すなわち収納ボックス・ユニット１の構造を支えるため、適宜な剛性及び強度を有する。中間板材２０は、木質の板状部材である。中間板材２０は、例えば、ラワン合板又は積層合板である。中間板材２０は、構造材としてあらゆる方向からの力に対して高い抵抗力を発揮することができる。収納ボックス・ユニット１の外側に位置する基板３２の一方主面３２ｐ１と、収納ボックス・ユニット１の内側に位置する基板３２の一方主面３２ｐ１と、は、向き合っており、向き合った外側の基板３２の一方主面３２ｐ１と内側の基板３２の一方主面３２ｐ１との内に、中間板材２０は、狭着されている。中間板材２０の寸法は、例えば、上下方向の長さ（厚み）が２．５ｍｍであり、前後方向の長さが２８２ｍｍであり、隅部形成溝１１の加工前の左右方向の長さが１，５６８ｍｍである。図１０に示すように、中間板材２０の前面は、中間板材の一方の長手端面２１であり、中間板材２０の後面は、中間板材の他方の長手端面２２であり、中間板材２０の左面は、中間板材の一方の短手端面２３であり、中間板材２０の右面は、中間板材の他方の短手端面２４である。
【００４６】
図９及び図１０に示すように、中間板材２０は、補強材５０が嵌合されるための補強材嵌装用溝２９が形成されている。補強材嵌装用溝２９は、中間板材の上面２５から下面２６に貫通するように形成されている。また、中間板材２０に貫設された補強材嵌装用溝２９は、中間板材２０の上側に接合された基板３２と、中間板材２０の下側に接合された基板３２と、の間に貫設されている。補強材嵌装用溝２９は、中間板材２０の延在方向すなわち左右方向に延在するように形成されている。すなわち、補強材嵌装用溝２９は、収納ボックス・ユニット１の被収納物差入方向と直交ないし交差する方向に伸びるように形成されている。さらに言い換えれば、補強材嵌装用溝２９は、中間板材２０の一方の短手端面２３から他方の短手端面２４に渡って形成されている。補強材嵌装用溝２９の前後方向の長さすなわち溝の幅は、例えば、１０ｍｍである。補強材嵌装用溝２９の前後方向の位置は、中間板材の一方の長手端面２１から後側に向かって４．３ｍｍから１４．３ｍｍまでの位置に形成されている。
【００４７】
表面材３０は、木質の基板３２と化粧シート３４とにより構成されている。基板３２は、例えば、ベニヤ板、中密度繊維板（ＭＤＦ）、パーティクルボード等の木質の板材部材である。化粧シート３４は、例えば、オレフィンシート、ポリ塩化ビニル、ペットシート等の樹脂性シート又は樹脂含浸紙のシートであり、耐水性、耐薬品性、機械的強度があり、割けにくくて折り曲げができるシートである。表面材３０は、図１２及び図１３に示すように、木質の基板３２の一方主面３２ｐ１に化粧シート３４が貼着され他方主面３２ｐ２で中間板材２０に巻着することにより、板状体１０を構成する。基板３２の一方主面３２ｐ１は、板状体１０の外側の面であり、図１２に示すように、板状体１０に形成される前の展開した表面材３０の下側の面である。基板３２の他方主面３２ｐ２は、板状体１０の内側の面であり、板状体１０に形成される前の表面材３０の上側の面である。図１２に示すように、中間板材２０に巻着する前の、平面に展開されている状態での、表面材３０の前側端面は、表面材の一方の長手端面３１ｐ１であり、表面材３０の後側端面は、表面材の他方の長手端面３１ｐ２であり、表面材３０の左側端面は、表面材の一方の短手端面３１ｐ３であり、表面材３０の右側端面は、表面材の他方の短手端面３１ｐ４である。
【００４８】
図１２に示すように、表面材３０は、前後方向に区画される表面材第１構成部３０ｃ１と表面材第２構成部３０ｃ２と表面材第３構成部３０ｃ３と表面材第４構成部３０ｃ４と表面材第５構成部３０ｃ５と表面材第６構成部３０ｃ６とにより構成されている。表面材３０の各構成部３０ｃ１〜３０ｃ６は、図１０及び図１６に示すように、中間板材２０の短手端面２３、２４の外周２４ｏに巻き付くように、すなわち、中間板材２０の被収納物差入方向の外周を巻着できる表面材３０の位置に形成されている、表面材３０の延在方向に伸びる複数のＶカット溝３６で区画されている。複数のＶカット溝３６は、図１２に示すように、基板３２の他方主面３２ｐ２から一方主面３２ｐ１に向けて且つ化粧シート３４を残してＶカット加工で形成される溝である。表面材第１構成部３０ｃ１は、表面材の一方の長手端面３１ｐ１と第１のＶカット溝３６ａとにより区画される。表面材第２構成部３０ｃ２は、第１のＶカット溝３６ａと第２のＶカット溝３６ｂとにより区画される。表面材第３構成部３０ｃ３は、第２のＶカット溝３６ｂと第３のＶカット溝３６ｃとにより区画される。表面材第４構成部３０ｃ４は、第３のＶカット溝３６ｃと第４のＶカット溝３６ｄとにより区画される。表面材第５構成部３０ｃ５は、第４のＶカット溝３６ｄと第５のＶカット溝３６ｅとにより区画される。表面材第６構成部３０ｃ６は、第５のＶカット溝３６ｅと表面材の他方の長手端面３１ｐ２とにより区画される。板状体１０において、表面材３０の一方の短手端面３１ｐ３と他方の短手端面３１ｐ４とは、図１０に示すように、中間板材２０の一方の短手端面２３と他方の短手端面２４と、左右方向において位置が略揃っている。
【００４９】
表面材３０の、中間板材２０に巻着する前の寸法・形状について詳述する。表面材３０の前後方向の長さ、すなわち、表面材の一方の長手端面３１ｐ１から表面材の他方の長手端面３１ｐ２までの長さは、例えば、６０２．９ｍｍであり。表面材３０の左右方向の長さ、すなわち、表面材の一方の短手端面３１ｐ３から表面材の他方の短手端面３１ｐ４までの長さは、板状体１０の左右方向の最大長さと同じ、例えば、１，５６８ｍｍである。表面材３０の上下方向の長さ（厚み）は、例えば、２．７ｍｍである。図１２に示すように、表面材第１構成部３０ｃ１は、側面視において、前端面すなわち表面材の一方の長手端面３１ｐ１が上面及び下面に対して直交し、後端面が第１のＶカット溝３６ａにより上面及び下面に対して斜交している、上底が短い台形状である。表面材第１構成部３０ｃ１の下面の前後方向の長さ（下底）は、例えば、１１．５ｍｍである。第１のＶカット溝３６ａは、側面視において、上側を開くＶ字形状である。第１のＶカット溝３６ａの前後方向のＶ字角度は、１０５度である。表面材第２構成部３０ｃ２は、側面視において、前端面が第１のＶカット溝３６ａにより上面及び下面に対して直交し、後端面が第２のＶカット溝３６ｂにより上面及び下面に対して斜交している、上底が短い台形状である。表面材第２構成部３０ｃ２の下面の前後方向の長さ（下底）は、例えば、７．９ｍｍである。第２のＶカット溝３６ｂは、側面視において、上側を開くＶ字形状である。第２のＶカット溝３６ｂの前後方向のＶ字角度は、９０度である。表面材第３構成部３０ｃ３は、側面視において、前端面が第２のＶカット溝３６ｂにより上面及び下面に対して直交し、後端面が第３のＶカット溝３６ｃにより上面及び下面に対して斜交している、上底が短い略台形状である。表面材第３構成部３０ｃ３の下面の前後方向の長さ（下底）は、例えば、２９０ｍｍである。第３のＶカット溝３６ｃは、側面視において、上側を開くＶ字形状である。第３のＶカット溝３６ｃの前後方向のＶ字角度は、４２度である。表面材第４構成部３０ｃ４は、側面視において、前端面が第３のＶカット溝３６ｃにより上面及び下面に対して直交し、後端面が第４のＶカット溝３６ｄにより上面及び下面に対して斜交している、上底が短い台形状である。表面材第４構成部３０ｃ４の下面の前後方向の長さ（下底）は、例えば、５．４ｍｍである。第４のＶカット溝３６ｄは、側面視において、上側を開くＶ字形状である。第４のＶカット溝３６ｄの前後方向のＶ字角度は、７３度である。表面材第５構成部３０ｃ５は、側面視において、前端面が第４のＶカット溝３６ｄにより上面及び下面に対して直交し、後端面が第５のＶカット溝３６ｅにより上面に対して斜交し下面に対して直交している、五角形状である。表面材第５構成部３０ｃ５の下面の前後方向の長さは、例えば、４．９ｍｍである。第５のＶカット溝３６ｅは、側面視において、上側を開く略Ｖ字形状である。詳細には、第５のＶカット溝３６ｅは、表面材第５構成部３０ｃ５の後端面と面取り部３６ｅ２の側面と表面材第６構成部３０ｃ６の後端面とにより形成されている溝である。すなわち、第５のＶカット溝３６ｅは、表面材第５構成部３０ｃ５の上面から後下向きに４５度で傾斜する側面３６ｅ４と、側面３６ｅ４から屈曲して下垂し表面材第５構成部３０ｃ５の下面に直交する側面３６ｅ５と、側面３６ｅ５の先端から後上向きに４５度で傾斜する面取り部側面３６ｅ２ａと、面取り部側面３６ｅ２ａの先端から屈曲して後下向きに９０度で傾斜する面取り部側面３６ｅ２ｂと、面取り部側面３６ｅ２ｂの先端から屈曲して直上向きに４５度で立ち上がる、すなわち、表面材第６構成部３０ｃ６の下面に直交する側面３６ｅ２ｂと、側面３６ｅ２ｂの先端から屈曲して後上向きに４５度で傾斜する側面３６ｅ６と、により構成される溝である。第５のＶカット溝３６ｄの前後方向において、側面３６ｅ４と側面３６ｅ６とが形成するＶ字角度は、９０度であり、側面３６ｅ５と面取り部側面３６ｅ２ａとが形成するＶ字角度は、４５度であり、側面３６ｅ７と面取り部側面３６ｅ２ｂとが形成するＶ字角度は、４５度である。表面材第６構成部３０ｃ６は、側面視において、前端面すなわち側面３６ｅ７及び側面３６ｅ６で形成され、後端面が表面材の他方の長手端面３１ｐ２であり上面及び下面に対して直交している五角形状である。表面材第６構成部３０ｃ６の下面の前後方向の長さは、例えば、２８１．８ｍｍである。
【００５０】
面取り部３６ｅ２は、図１６に示すように、第５のＶカット溝３６ｅが閉じられたときに、表面材第５構成部３０ｃ５と表面材第６構成部３０ｃ６とを直交しながら、板状体１０の側面視外形状の角となるべき箇所を面取りして、略Ｃ面となるようにするための部分である。面取り部３６ｅ２は、図１２に示すように、側面視において、直角二等辺三角形状であり、直角となる頂点を上に向け、斜辺となるべき辺を下面としている。面取り部３６ｅ２の下面の前後方向の長さは、例えば、１．４ｍｍであり、直角となる頂点の高さは、例えば、０．７ｍｍである。面取り部３６ｅ２の側面である面取り部側面３６ｅ２ａは、第５のＶカット溝３６ｅの側面３６ｅ５と密着することが可能であるように形成されており、左右方向からの側面視における長さが例えば１ｍｍであるように形成されている。すなわち、面取り部側面３６ｅ２ａは、側面３６ｅ５と、面形状が一致している。同様に、面取り部３６ｅ２の側面である面取り部側面３６ｅ２ｂは、第５のＶカット溝３６ｅの側面３６ｅ７と密着することが可能であるように形成されており、左右方向からの側面視における長さが例えば１ｍｍであるように形成されている。すなわち、面取り部側面３６ｅ２ｂは、側面３６ｅ７と、面形状が一致している。なお、第５のＶカット溝３６ｅの側面３６ｅ４は、側面３６ｅ６と、面形状が一致している。
【００５１】
さらに、表面材第３構成部３０ｃ３は、図１０及び図１２に示すように、補強材５０が嵌合されるための補強材嵌装用溝３８が形成されている。補強材嵌装用溝３８は、表面材第３構成部３０ｃ３の上面から、すなわち、基板３２の他方主面３２ｐ２から、例えば、１．４５ｍｍ切削されて形成されている。補強材嵌装用溝３８は、基板３２の一方主面３２ｐ１に、すなわち、板状体１０の第１主面１０ｐ１又は第２主面１０ｐ２に、膨らみや凹凸等の表面状態を劣化させる影響を与えない程度の厚みを基板３２の一方主面３２ｐ１側に残して形成されている。補強材嵌装用溝３８は、収納ボックス・ユニット１の外側に位置する基板３２の他方主面３２ｐ２から化粧シート３４に向けて溝加工が施されて形成されている。補強材嵌装用溝３８は、中間板材２０に貫設された補強材嵌装用溝２９に連続して形成されている。補強材嵌装用溝３８は、表面材３０の延在方向すなわち左右方向に延在するように形成されている。すなわち、補強材嵌装用溝３８は、収納ボックス・ユニット１の被収納物差入方向と直交ないし交差する方向に伸びるように形成されている。さらに言い換えれば、補強材嵌装用溝３８は、表面材３０の一方の短手端面３１ｐ３から他方の短手端面３１ｐ４に渡って形成されている。補強材嵌装用溝３８の前後方向の長さすなわち溝の幅は、例えば、１０ｍｍである。補強材嵌装用溝３８の前後方向の位置は、表面材第３構成部３０ｃ３の下面の後端から前側に向かって２ｍｍから１２ｍｍの位置である。
【００５２】
同様に、表面材第６構成部３０ｃ６は、図１０及び図１２に示すように、補強材５０が嵌合されるための補強材嵌装用溝３９が形成されている。補強材嵌装用溝３９は、表面材第６構成部３０ｃ６の上面から、すなわち、基板３２の他方主面３２ｐ２から、例えば、１．４５ｍｍ切削されて形成されている。補強材嵌装用溝３９は、基板３２の一方主面３２ｐ１に、すなわち、板状体１０の第１主面１０ｐ１又は第２主面１０ｐ２に、膨らみや凹凸等の表面状態を劣化させる影響を与えない程度の厚みを基板３２の一方主面３２ｐ１側に残して形成されている。補強材嵌装用溝３９は、収納ボックス・ユニット１の内側に位置する基板３２の他方主面３２ｐ２から化粧シート３４に向けて溝加工が施されて形成されている。補強材嵌装用溝３９は、中間板材２０に貫設された補強材嵌装用溝２９に連続して形成されている。補強材嵌装用溝３９は、表面材３０の延在方向すなわち左右方向に延在するように形成されている。すなわち、補強材嵌装用溝３９は、収納ボックス・ユニット１の被収納物差入方向と直交ないし交差する方向に伸びるように形成されている。さらに言い換えれば、補強材嵌装用溝３９は、表面材３０の一方の短手端面３１ｐ３から他方の短手端面３１ｐ４に渡って形成されている。補強材嵌装用溝３９の前後方向の長さすなわち溝の幅は、例えば、１０ｍｍである。補強材嵌装用溝３９の前後方向の位置は、表面材第６構成部３０ｃ６の下面の前端から後側に向かって６ｍｍから１６ｍｍまでの位置に形成されている。
【００５３】
補強材嵌装用溝２９、補強材嵌装用溝３８及び補強材嵌装用溝３９は、合わさって連続した横断面方形状であり、補強材５０を嵌装するために隅部形成溝１１と直交する方向にのびる嵌装用溝が形成されている。すなわち、補強材嵌装用溝２９と補強材嵌装用溝３８と補強材嵌装用溝３９とを合わせた形状は、補強材５０の断面形状に対応しており、補強材５０が嵌装できるように構成されている。補強材嵌装用溝３８及び補強材嵌装用溝３９の溝底と化粧シート３４との間には、基板３２が存在している。
【００５４】
図８に示すように、補強材５０は、収納ボックス・ユニット１の構造材である中間板材２０の剛性及び強度を補強する金属質の四角柱状、棒状ないし平板状の長尺状部材である。補強材５０は、例えば、アルミニウムを素材とする。図９に示すように、収納ボックス・ユニット１に折りたたまれる前の板状体１０において、補強材５０は、その延在方向を補強材嵌装用溝２９、補強材嵌装用溝３８及び補強材嵌装用溝３９の延在方向と合わせて、補強材の下面５２が表面材３０の補強材嵌装用溝３８に、補強材の上面５１が表面材３０の補強材嵌装用溝３９に、補強材の前面５３及び後面５４が中間板材２０の補強材嵌装用溝２９に、嵌合されている。これにより、補強材５０は、中間板材２０ないし表面材３０の一部に嵌装されて、すなわち、板状体１０に嵌装されて、中間板材２０の剛性及び強度を補強する。補強材５０の形状は、図１０に示すように、側面視においても正面視においても平面視においても、方形である。補強材５０の寸法は、例えば、前後方向の長さすなわち補強材の前面５３から後面５４までの長さが１０ｍｍであり、上下方向の長さすなわち補強材の上面５１から下面５２までの長さが５ｍｍであり、隅部形成溝１１の形成前において左右方向の長さが板状体１０と同様に１，５６８ｍｍである。すなわち、補強材５０は、板状体１０の一方端部１２ａから他方端部１２ｂに渡って、板状体１０の内部に嵌装されている。さらに言い換えると、補強材５０は、収納ボックス・ユニット１の天部２と底部６との左右方向の長さとその長さを合わせて、天部２と底部６との内部に嵌装されている。同様に、補強材５０は、収納ボックス・ユニット１の側部４と側部８との上下方向の長さとその長さを合わせて、側部４と側部８との内部に嵌装されている。さらに、補強材５０は、天部２、側部４、８又は底部６が１ｋｇ／ｄｍ2の荷重に対し０．５％以下のたわみ率となる強度を有しているように、構成されている。
【００５５】
また、補強材５０は、図９に示すように、板状体１０の第２前端面１２ｆ２から、例えば、７ｍｍから１７ｍｍまでの位置に配設されている。すなわち、補強材５０は、収納ボックス・ユニット１の前面３の近傍の位置に相当する板状体１０の位置に嵌装されている。さらに言い換えれば、補強材５０は、板状体１０の面取り部３６ｅ２に近い位置に嵌装されている。したがって、補強材５０は、収納ボックス・ユニット１の前面３近傍に作用する荷重に対して、剛性及び強度を向上することができる。
【００５６】
図１０及び図１１に示すように、表面材３０の内側に中間板材２０と補強材５０とが配設されるように、展開する表面材３０の表面材第６構成部３０ｃ６に中間板材２０が載置され、補強材嵌装用溝３９に補強材５０が載置され、展開する表面材３０の複数のＶカット溝３６を閉じるように折りたたまれて、表面材３０と中間板材２０と補強材５０とは、一体的に組み合わされて板状体１０となる。この際、表面材３０と中間板材２０とは、接着される。複数のＶカット溝３６、すなわち、第１のＶカット溝３６ａ、第２のＶカット溝３６ｂ、第３のＶカット溝３６ｃ、第４のＶカット溝３６ｄ、第５のＶカット溝３６ｅは、閉じられる際に接着される。
【００５７】
また、第５のＶカット溝３６ｅが閉じられる際に、面取り部３６ｅ２の面取り部側面３６ｅ２ａは、側面３６ｅ５と互いの面を一致させて接着され、面取り部側面３６ｅ２ｂは、側面３６ｅ７と互いの面を一致させて接着される。さらに、第５のＶカット溝３６ｅが閉じられる際に、側面３６ｅ４は、側面３６ｅ６と互いの面を一致させて接着される。これにより、図９及び図１６に示すように、板状体１０の前端面１２に面取りされた形状が形成される。
【００５８】
板状体１０の前端面１２ｆは、折りたたまれて収納ボックス・ユニット１となることによって、収納ボックス・ユニット１の前面３となる。板状体１０の前端面１２ｆは、図９に示すように、第１前端面１２ｆ１と第２前端面１２ｆ２と第３前端面１２ｆ３であり、収納ボックス・ユニット１の前面３の第１前端面３ｆ１と第２前端面３ｆ２と第３前端面３ｆ３とにより構成される面と同一の面である。第１前端面１２ｆ１は、板状体１０の第１主面１０ｐ１から第２主面１０ｐ２に向かって且つ前向きに２２度傾斜し、第２前端面１２ｆ２は、第１前端面３ｆ１から屈曲して第１主面１０ｐ１及び第２主面１０ｐ２の平面方向に直交し、第３前端面１２ｆ３は、第２前端面１２ｆ２から屈曲して、第２主面１０ｐ２に向かって且つ後向きに４５度傾斜する。第１前端面１２ｆ１は、表面材第４構成部３０ｃ４の化粧シート３４により形成されている面であり、第２前端面１２ｆ２は、表面材第５構成部３０ｃ５の化粧シート３４により形成されている面であり、第３前端面１２ｆ３は、面取り部３６ｅ２の化粧シート３４により形成されている面である。
したがって、板状体１０の前端面１２ｆすなわち収納ボックス・ユニット１の前面３は、略Ｃ面となるように形成されており、さらに、化粧シート３４で覆われているので、板状体１０の実際の厚みよりも薄い厚みである印象を抱かせることができるとともに、部材の継目が見えず、意匠性が向上している。
【００５９】
図９及び図１６に示すように、板状体１０の後端面１２ｇ近傍は、表面材第１構成部３０ｃ１と表面材第２構成部３０ｃ２と表面材第３構成部３０ｃ３とにより構成されている。表面材第１構成部３０ｃ１と表面材第２構成部３０ｃ２との境は、例えば１０５度で切削されている第１のＶカット溝３６ａが形成されており、表面材第２構成部３０ｃ２と表面材第３構成部３０ｃ３との境は、例えば９０度で切削されている第２のＶカット溝３６ｂが形成されているので、板状体１０の第１主面１０ｐ１側に位置する表面材第３構成部３０ｃ３から表面材第２構成部３０ｃ２への折れ曲がり角度は９０度となり、板状体１０の後端面１２ｇに位置する表面材第２構成部３０ｃ２から表面材第１構成部３０ｃ１への折れ曲がり角度は１０５度となっている。すなわち、表面材第１構成部３０ｃ１は、板状体１０の第２主面１０ｐ２から第１主面１０ｐ１に向かって、言い換えれば、板状体１０の内側に向かって、例えば１５度傾斜している。これにより、収納ボックス・ユニット１は、後述される図１７に示すように、他の収納ボックス・ユニット１の側部４、８と接し合わせて並列し、背面側で２つの板状体１０の後端面１２ｇに後述する接続金具６０が握持して、他の収納ボックス・ユニット１と接続されることができる。
【００６０】
さらに、表面材３０と中間板材２０と補強材５０とが組み合わされた板状体１０は、図５、図８等に示すように、折りたたまれて収納ボックス・ユニット１となる際に、折場所となるべき複数の隅部形成溝１１（１１ａ、１１ｂ、１１ｃ）がＶカット加工により形成されている。すなわち、板状体１０は、収納ボックス・ユニット１の隅部５（第１の隅部５ａ、第２の隅部５ｂ及び第３の隅部５ｃ）に対応する位置に、例えば、板状体１０の一方端部１２ａから他方端部１２ｂにかけて３９２ｍｍ間隔で、前後方向すなわち被収納物差入方向に伸びる平行な複数の隅部形成溝１１（第１の隅部形成溝１１ａ、第２の隅部形成溝１１ｂ及び第３の隅部形成溝１１ｃ）が形成されている。これにより、複数の隅部形成溝１１は、板状体１０を区画して収納ボックス・ユニット１の天部２と側部４と底部６と側部８とを形成する。
【００６１】
図８に示すように、複数の隅部形成溝１１は、Ｖカット加工で板状体１０の第２主面１０ｐ２から第１主面１０ｐ１に向けて第１主面１０ｐ１の化粧シート３４ａを残して板状体１０に形成された溝である。複数の隅部形成溝１１は、その溝底が化粧シート３４ａの近傍に位置して、正面視において、板状体１０の第２主面１０ｐ２を開くＶ字形状である。複数の隅部形成溝１１の正面視におけるＶ字形状の角度は、９０度である。複数の隅部形成溝１１は、天部２と側部４とを区画する第１の隅部形成溝１１ａと、側部４と底部６とを区画する第２の隅部形成溝１１ｂと、底部６と側部８とを区画する第３の隅部形成溝１１ｃと、により構成されている。
【００６２】
図８（ｂ）に示すように、板状体１０の一方端部１２ａは、正面視において、第１主面１０ｐ１及び第２主面１０ｐ２に４５度で斜交する、右上から左下に向かって傾斜する平面状に形成されている。板状体１０の他方端部１２ｂは、正面視において、第１主面１０ｐ１及び第２主面１０ｐ２に４５度で斜交する、左上から右下に向かって傾斜する平面状に形成されている。
【００６３】
板状体１０は、図５及び図８に示すように、収納ボックス・ユニット１の背面近傍の位置に相当する位置であって、すなわち、板状体１０の後端面１２ｇ近傍であって、第２主面１０ｐ２側に延在方向に伸びる背板用溝１３が形成されている。背板用溝１３は、図９及び図１６に示すように、板状体１０を構成する表面材３０の表面材第１構成部３０ｃ１と表面材第６構成部３０ｃ６との近接部分において、すなわち、表面材３０の一方の短手端面３１ｐ３と他方の短手端面３１ｐ４との近接部分において、前後方向を切断する断面視において、第２主面側１０ｐ２から第１主面１０ｐ１に向かって凹となる溝である。背板用溝１３の深さは、第２主面１０ｐ２から見て、例えば、５．５ｍｍである。図５に示すように、板状体１０が折りたたまれて形成された箱形である収納ボックス・ユニット１において、背板用溝１３に、背板９が嵌合される。
【００６４】
（作用効果）
収納ボックス・ユニット１は、板状体１０を、第１主面１０ｐ１の化粧シート３４ａを折り曲げ且つ複数の隅部形成溝１１を閉じるように折りたたみ、更に、板状体１０の延在方向の一方端部１２ａと他方端部１２ｂとを接合することにより、天部２と２つの側部４、８と底部６とにより構成される箱形に形成される。このとき、複数の隅部形成溝１１と、板状体１０の延在方向の一方端部１２ａ及び他方端部１２ｂと、はそれぞれ接着されている。
したがって、収納ボックス・ユニット１の隅部５（５ａ、５ｂ、５ｃ）は、外面側が複数の隅部形成溝１１の化粧シート３４（３４ａ）に覆われており、部材の継目が見えず、意匠性が向上している。
【００６５】
収納ボックス・ユニット１によれば、適宜な剛性及び強度を有する木質の中間板材２０と、木質の基板３２の一方主面３２ｐ１に化粧シート３４が貼着され他方主面３２ｐ２で中間板材２０に巻着する表面材３０と、中間板材２０ないし表面材３０の一部に嵌装されて中間板材２０の剛性及び強度を補強する金属質の補強材５０と、を有する板状体１０が折りたたまれて箱形に形成され、天部２と２つの側部４、８と底部６とにより構成されるので、箱形となった収納ボックス・ユニット１の構造材をなす板状体１０が金属質の補強材５０に補強されて、収納ボックス・ユニット１の剛性及び強度は、中間板材２０又は表面材３０のみを構造材とするものと比して、向上することとなる。
【００６６】
詳細には、適宜な剛性及び強度を有する木質の中間板材２０と、木質の基板３２の一方主面３２ｐ１に化粧シート３４が貼着され他方主面３２ｐ２で中間板材２０に巻着する表面材３０と、中間板材２０ないし表面材３０の一部に嵌装されて中間板材２０の剛性及び強度を補強する金属質の補強材５０と、を有する板状体１０は、収納ボックス・ユニット１の隅部５（５ａ、５ｂ、５ｃ）に対応する位置に被収納物差入方向に伸びる平行な複数の隅部形成溝１１（１１ａ、１１ｂ、１１ｃ）が形成されており、複数の隅部形成溝１１は、Ｖカット加工で板状体１０の第２主面１０ｐ２から第１主面１０ｐ１に向けて第１主面１０ｐ１の化粧シート３４ａを残して板状体１０に形成された溝であり、板状体１０を区画して収納ボックス・ユニット１の天部２と２つの側部４、８と底部６とを形成するので、板状体１０を複数の隅部形成溝１１で折りたたむことが可能となっている。そして、板状体１０を、化粧シート３４を折り曲げ且つ複数の隅部形成溝１１を閉じるように折りたたみ、更に、板状体１０の延在方向の一方端部１２ａと他方端部１２ｂとを接合することにより、天部２と２つの側部４、８と底部６とにより構成される箱形が形成される。中間板材２０と表面材３０とにより構成される板状体１０は、収納ボックス・ユニット１の構造材として適宜な剛性及び強度を有しているものの、木質であることから、特に曲げ荷重による曲げモーメントが作用されると、変形を免れない。加えて、曲げ応力＝曲げモーメント／断面係数であり、断面係数は、部材の厚みに依存することから、板状体１０が薄ければ薄いほど、曲げ応力が増大し、板状体１０は変形し易くなる。
しかし、金属質の補強材５０によって補強された板状体１０は、中間板材２０又は表面材３０のみを構造材とする板状体に比して、板状体の剛性及び強度が向上し、同じ曲げ応力に対して変形し難くなる。そして、収納ボックス・ユニット１は、天部２、側部４、８又は底部６が、１ｋｇ／ｄｍ2の荷重に対し０．５％以下のたわみ率となる強度を有しているので、収納ボックス・ユニットとしての意匠性を損なうような変形をすることがない。
そして、収納ボックス・ユニット１は、天部２、側部４、８又は底部６が、１ｋｇ／ｄｍ2の荷重に対し０．５％以下のたわみ率となる強度を維持する範囲で、板状体１０の厚みを低減することにより、意匠性を向上しつつ十分な強度及び剛性を保持することができる。
加えて、板状体１０の厚みを低減することとすれば、同じ外寸法の従前の収納ボックス・ユニット１００に比して、収納ボックス・ユニット１の収納容積を向上することができる。
【００６７】
収納ボックス・ユニット１によれば、木質の基板３２の一方主面３２ｐ１に化粧シート３４が貼着される表面材３０と、表面材３０の一部に嵌装されて板状体１０の剛性及び強度を補強する補強材５０と、を有する板状体１０が折りたたまれて多角形に形成された収納ボックス・ユニット１であって、表面材３０は、延在方向に伸びる補強材嵌装用溝３８、３９が形成され、補強材５０は、木材より剛性及び強度を有する四角柱状、棒状ないし平板状の部材であり、補強材嵌装用溝３８、３９に嵌合されて、板状体１０に嵌装されているので、補強材５０の厚みを確保し、板状体１０の剛性及び強度が向上しながら、板状体１０の厚みを低減することができ、意匠性を向上しつつ十分な強度及び剛性を保持することができる。
加えて、板状体１０の厚みを低減することとすれば、同じ外寸法の従前の収納ボックス・ユニット１００に比して、収納ボックス・ユニット１の収納容積を向上することができる。
【００６８】
収納ボックス・ユニット１によれば、基板３２は、中密度繊維板であり、化粧シート３４は、樹脂性シート又は樹脂含浸紙であるので、軽量で高い加工性があり、電気絶縁性、耐水性、耐薬品性に優れている。加えて、化粧シート３４は、割けにくくて折り曲げができる。
【００６９】
収納ボックス・ユニット１によれば、板状体１０は、適宜な剛性及び強度を有する木質の中間板材２０を有し、表面材３０は、中間板材２０及び補強材５０に巻着するので、板状体１０すなわち収納ボックス・ユニット１は、適宜な剛性及び強度を有するとともに、中間板材２０及び補強材５０が外部から見えないので、美観が向上している。
【００７０】
収納ボックス・ユニット１によれば、補強材５０は、収納ボックス・ユニット１の前面３近傍の位置に相当する板状体１０の位置に嵌装されているので、収納ボックス・ユニット１の前面３近傍に作用する荷重に対して、収納ボックス・ユニット１の剛性及び強度を向上することができる。
【００７１】
収納ボックス・ユニット１によれば、板状体１０は、収納ボックス・ユニット１の背面近傍の位置に相当する位置に延在方向に伸びる背板用溝１３が形成されており、背板用溝１３に背板９が嵌合されるので、収納ボックス・ユニット１の背面近傍に作用する荷重に対して、収納ボックス・ユニット１の剛性及び強度を向上することができる。
【００７２】
収納ボックス・ユニット１によれば、板状体１０は、１ｋｇ／ｄｍ2の荷重に対し０．５％以下のたわみ率となる強度を有していることを特徴とするので、板状体１０すなわち収納ボックス・ユニット１にかかる荷重によっても目視でたわみを認識することができない。したがって、収納ボックス・ユニットの美観が向上している。
【００７３】
収納ボックス・ユニット１によれば、収納ボックス・ユニット１は、他の収納ボックス・ユニット１と接し合うように組み合わされて使用される際に、接し合う２つの板状体１０の後端面１２ｇに接続金具６０が取り付けられており、接続金具６０は、金属質の弾性部材であり、本体部６２と、本体部６２の両側から延びて板状体１０の第２主面１０ｐ２から第１主面１０ｐ１に向かって押圧するように弾性力で付勢されている２つの握持爪６４と、握持爪６４の先端から延びて２つの板状体１０の後端面１２ｇが握持爪６４の内側に導入されることが容易になるように傾斜している２つの導入爪６６と、により構成されるので、特別な工具を必要とせず人の手により、簡単に他の収納ボックス・ユニット１と接続され、組み合わされて使用されることができ、また、組み合わされた収納ボックス・ユニット１は、解体されることができる。
【００７４】
また、補強材５０は、アルミニウムを素材とする四角柱状、棒状ないし平板状の長尺状部材であれば、鉄、銅などの金属を材料とする場合に比して、軽量である。すなわち、補強材５０は、板状体１０すなわち収納ボックス・ユニット１に嵌装されていても、補強材５０を有しない収納ボックス・ユニットに比して、重量増は僅かである。したがって、収納ボックス・ユニット１は、人の手で容易に持ち上げて、他の収納ボックス・ユニット１の天部２又は任意の平面上に載置することができる。
【００７５】
また、補強材５０は、アルミニウムを素材とする四角柱状、棒状ないし平板状の長尺状部材であれば、鉄などの金属を材料とする場合に比して、柔らかく加工が容易である。したがって、補強材５０が内部に嵌装された板状体１０は、木材用の既存のＶカット加工のための切削装置を用いて、補強材５０も含めて、Ｖカット加工されることができる。
【００７６】
（収納ボックス・ユニットの使用例）
収納ボックス・ユニット１は、単体で、その内面に、衣類・食器・書籍等の多様な生活品を収納することができる。さらに、収納ボックス・ユニット１は、他の収納ボックス・ユニット１と組み合わせて、使用されることができる。
例えば、図１７に示すように、床面に載置されている収納ボックス・ユニット１は、その天部２の上面に、他の収納ボックス・ユニット１の底部６が載置され、また、その側部４と他の収納ボックス・ユニット１の側部８とが接し合わせて並列されることができる。そして、収納ボックス・ユニット１は、他の収納ボックス・ユニット１の天部２又は側部４、８に、さらに他の収納ボックス・ユニット１を載置又は並列されることで、より大きな収納棚や収納間仕切りとしても使用されることができる。
【００７７】
図１７に示すように、収納ボックス・ユニット１は、他の収納ボックス・ユニット１と組み合わされる際に、２つの接し合う天部２、側部４、底部６又は側部８の背面形状すなわち２つの接し合う板状体１０の後端面１２ｇ形状に沿いながら、２つの板状体１０を握持して、収納ボックス・ユニット１と他の収納ボックス・ユニット１とを連結するための、接続金具６０によって組み合わされている。
【００７８】
図１７及び図１８に示すように、接続金具６０は、金属質の部材であり、本体部６２と２つの握持爪６４と２つの導入爪６６とにより構成される。接続金具６０は、収納ボックス・ユニット１の背板９の後側で２つの接し合う板状体１０を握持する。本体部６２は、その幅が板状体１０の厚みの２倍の幅となるように形成されている。本体部６２は、２つの接し合う板状体１０の後端面すなわち表面材第２構成部３０ｃ２に接することができる。握持爪６４は、本体部６２の両側から延びて表面材第１構成部３０ｃ１に沿うように形成されている。それぞれの握持爪６４は、板状体１０を第２主面１０ｐ２から第１主面１０ｐ１に向かって押圧するための弾性力で付勢されている。２つの握持爪６４は、先端に向かうにつれて、接近するように対向している。導入爪６６は、握持爪６４の先端から延びて、握持爪６４の傾斜と反対側に反り、接続金具６０の内側すなわち握持爪６４の内側に２つの板状体１０の後端面１２ｇが導入することが容易になるように傾斜している。
【００７９】
（製造方法）
収納ボックス・ユニット１の製造方法について説明する。収納ボックス・ユニット１は、以下の工程を経て製造される。
【００８０】
木質の基板３２の一方主面３２ｐ１に化粧シート３４が貼着される表面材３０と、板状体１０の剛性及び強度を補強する補強材５０と、を準備する。
【００８１】
表面材３０の延在方向に伸びる複数の溝３６を基板３２の他方主面３２ｐ２から一方主面３２ｐ１に向けて且つ化粧シート３４を残して溝加工で形成する。
【００８２】
表面材３０の延在方向に伸びる補強材嵌装用溝３８、３９を表面材３０に切削する。
【００８３】
補強材嵌装用溝３８、３９に補強材５０を嵌合する。
【００８４】
表面材３０の一方主面を外側にし他方主面を内側にして前記複数の溝３６を閉じるようにして板状体１０を形成する。
【００８５】
板状体１０に、収納ボックス・ユニット１の隅部５（５ａ、５ｂ、５ｃ）に対応する位置で板状体１０の被収納物差入方向に伸びる複数の隅部形成溝１１（１１ａ、１１ｂ、１１ｃ）を板状体１０の第２主面１０ｐ２から第１主面１０ｐ１に向けて第１主面１０ｐ１の化粧シート３４を残して形成する。
【００８６】
板状体１０を、化粧シート３４を折り曲げ且つ複数の隅部形成溝１１を閉じるように折りたたみ、更に、板状体１０の延在方向の一方端部１２ａと他方端部１２ｂとを接合することにより、箱形ないし多角形にする。
【００８７】
上述の収納ボックス・ユニット１の製造方法によれば、表面材３０のみを構造材とする収納ボックス・ユニットと比して、剛性及び強度が向上する収納ボックス・ユニット１を製造することができる。
【００８８】
＜第２の実施の形態＞
次に、本発明の第２の実施の形態に係る収納ボックス・ユニット１ｈについて説明する。なお、同一の構成要素については同一の符号を付し、上記と重複する説明については、簡潔に説明する又は説明を省略する。
【００８９】
収納ボックス・ユニット１ｈは、中空の略直方体形状で前面を開口する箱状のものであり、その内面で衣類・食器・書籍等の多様な生活品を収納することができる収納ボックスである。さらに、収納ボックス・ユニット１ｈは、単体で収納ボックスとして使用できるばかりでなく、２つ以上の収納ボックス・ユニット１ｈ又は他の形態の収納ボックス・ユニット１と組み合わせて多様な形態で使用することができ、例えば大型の収納棚、テレビ・ボードとして使用することや、収納間仕切りとしても使用することができるものである。
【００９０】
図２１及び図２２に示すように、収納ボックス・ユニット１ｈは、天部２と側部４ｈと底部６と棚板７と側部８ｈと背板９とにより構成される。天部２と側部４ｈと底部６と側部８ｈとは、後述する一枚の板状体１０ｈ（図示しない）が複数の隅部形成溝１１によって区画されて、形成されている。すなわち、収納ボックス・ユニット１ｈは、板状体１０ｈが折りたたまれて箱形に形成され、さらに、棚板７を配置されて、天部２と２つの側部４ｈ、８ｈと底部６と棚板７とにより構成されている。収納ボックス・ユニット１ｈの寸法は、例えば、外面形状において、上下方向の長さが７８４ｍｍであり、左右方向の長さが３９２ｍｍであり、前後方向の長さが２９５ｍｍであり、内面形状において、棚板７の厚みを含む上下方向の長さが７６８ｍｍであり、左右方向の長さが３７６ｍｍであり、前後方向の長さが２８２ｍｍである。
収納ボックス・ユニット１ｈは、第１の実施の形態に係る収納ボックス・ユニット１の上下方向の２倍の上下方向の高さで形成されている。すなわち、収納ボックス・ユニット１ｈは、２つの収納ボックス・ユニット１が重ねられたものと同一の高さを有している。
以下、各構成要素のうち、側部４ｈと棚板７とについて詳述し、その他の構成要素については、説明を省略する。側部８ｈは、側部４ｈと左右反対称の形状及び機能であるので、説明を省略する。
【００９１】
側部４ｈは、収納ボックス・ユニット１ｈの左部を構成する板状の部材である。側部４ｈは、略平面状に形成されている。これは、収納ボックス・ユニット１ｈが、他の収納ボックス・ユニット１ｈ又は収納ボックス・ユニット１と並列して使用されるときに、他の収納ボックス・ユニットの側部が接し合うことを可能とするために、側部４ｈは、略平面状に形成されているものである。すなわち、側部４ｈは、他の収納ボックス・ユニットの側部と接し合わせて並列できるように構成されている。
【００９２】
図２１及び図２２に示すように、側部４ｈは、正面視においてハの字を時計回りに９０度回転した略台形状であり、側面視において方形状である。側部４ｈは、その左面が平面状であるように形成されており、その右面が略平面状であるように形成されている。側部４ｈは、棚板７が嵌合されるための右面側に前後方向に伸びる棚板用溝１４が形成されている。棚板用溝１４の深さは、例えば、５．５ｍｍである。側部４ｈは、背板９が嵌合されるための右面側かつ背面近傍であって上下方向に伸びる背板用溝１３が形成されている。側部４ｈは、天部２との接合面（すなわち第１の隅部形成溝１１ａ）、底部６との接合面（すなわち第２の隅部形成溝１１ｂ）、背板用溝１３並びに棚板用溝１４を除いて、化粧シート３４に覆われて表面の美観が向上するように化粧されている。側部４ｈの上端は、収納ボックス・ユニット１ｈの隅部５（第１の隅部５ａ）を構成し、側部４ｈの下端は、収納ボックス・ユニット１ｈの隅部５（第２の隅部５ｂ）を構成する。側部４ｈは、第１の隅部形成溝１１ａと第２の隅部形成溝１１ｂとにより板状体１０ｈが区画されて形成されている。側部４ｈの寸法は、例えば、左面の前後方向の長さが２９５ｍｍであり、上下方向の長さが７８４ｍｍであり、右面の前後方向の長さが２９５ｍｍであり、棚板用溝１４の幅を含む上下方向の長さが７６８ｍｍであり、厚み（左面と右面との間の長さ）が７．９ｍｍである。
【００９３】
（棚板）
棚板７は、図２１に示すように、収納ボックス・ユニット１ｈの上下方向の中途に設けられて、収納ボックス・ユニット１ｈを内面側において上下に複数段の収納空間を形成する板状部材である。棚板７は、図２３及び図２４に示すように、適宜な剛性及び強度を有する棚板用中間板材７２と、棚板用中間板材７２に巻着する棚板用表面材７３と、により構成されている。棚板７の寸法は、上下方向の長さ（厚み）が、１５．９ｍｍであり、前後方向の長さが２９３．５ｍｍであり、後述する棚板凸部７４を除く左右方向の長さが３７６ｍｍである。棚板７の厚みは、板状体１０の厚みの２倍であるように形成されている。このため、収納ボックス・ユニット１ｈが他の収納ボックス・ユニット１、１ｈと組み合わされて使用される際に、並列又は積層する２枚の板状体１０の厚みと棚板７との厚みが同一となり、収納ボックス・ユニット１ｈの正面視における部材の厚みの印象が統一され、美観が向上する。また、棚板７の後端面近傍には、収納ボックス・ユニット１の背面近傍の位置に相当する位置に左右方向すなわち延在方向に伸びる背板用溝７１３が形成されている。背板用溝７１３は、収納ボックス・ユニット１ｈにおいて板状体１０が折りたたまれて形成された箱形において、背板９が嵌合される。棚板７の前端面は、側面視において、上側の角と下側の角とが面取りされて略Ｃ面となるように形成されている。
【００９４】
棚板用中間板材７２は、収納ボックス・ユニット１ｈの上側の収納空間に収納される物品が、収納ボックス・ユニット１ｈの側部４ｈ、８ｈに荷重を伝達されて支えられるための適宜な剛性及び強度を有する。棚板用中間板材７２は、は、木質の板状部材である。棚板用中間板材７２は、例えば、ラワン合板又は積層合板である。棚板用中間板材７２は、上下方向からの力に対して高い抵抗力を発揮することができる。棚板用中間板材７２は、左右の端部に棚板凸部７４が形成されている。棚板用中間板材７２の寸法は、例えば、上下方向の長さ（厚み）が１０．５ｍｍであり、前後方向の長さが２８８ｍｍであり、棚板凸部７４を除く左右方向の長さが３７６ｍｍである。棚板用中間板材７２の前端面は、側面視において、上側の角と下側の角とが面取りされて略Ｃ面となるように形成されている。
【００９５】
棚板凸部７４は、棚板７の左右の端部において、図２１及び図２３に示すように、左右方向に突出し前後方向に伸びる突条である。棚板凸部７４は、収納ボックス・ユニット１ｈの側部４ｈ、８ｈに形成されている棚板用溝１４に嵌合して、棚板７にかかる荷重を側部４ｈ、８ｈに伝達する。
【００９６】
図２４に示すように、棚板用表面材７３は、基板７３２と化粧シート７３４とにより構成されている。基板７３２は、例えば、ベニヤ板、中密度繊維板（ＭＤＦ）、パーティクルボード等の木質の板材部材である。化粧シート７３４は、例えば、オレフィンシート、ポリ塩化ビニル、ペットシート等の樹脂性シート又は樹脂含浸紙のシートであり、耐水性、耐薬品性、機械的強度があり、割けにくくて折り曲げができるシートである。棚板用表面材７３は、木質の基板７３２の一方主面に化粧シート７３４が貼着され他方主面で棚板用中間板材７２に巻着することにより、棚板７を構成する。基板７３２の一方主面は、棚板７の外側の面であり、棚板７に形成される前の棚板用表面材７３の下側の面である。基板７３２の他方主面は、棚板７の内側の面であり、棚板７に形成される前の棚板用表面材７３の上側の面である。棚板用中間板材７２に巻着する前の、平面に展開されている状態での、棚板用表面材７３の前側端面は、棚板用表面材７３の一方の短手端面であり、棚板用表面材７３の後側端面は、棚板用表面材７３の他方の短手端面であり、棚板用表面材７３の左側端面は、棚板用表面材７３の一方の長手端面であり、棚板用表面材７３の右側端面は、棚板用表面材７３の他方の長手端面である。
【００９７】
図２４に示すように、棚板用表面材７３は、前後方向に区画される棚板用表面材第１構成部７３ｃ１と棚板用表面材第２構成部７３ｃ２と棚板用表面材第３構成部７３ｃ３と棚板用表面材第４構成部７３ｃ４と棚板用表面材第５構成部７３ｃ５と棚板用表面材第６構成部７３ｃ６とにより構成されている。棚板用表面材７３の各構成部７３ｃ１〜７３ｃ７は、棚板用中間板材７２の短手端面の外周に巻き付くように、すなわち、棚板用中間板材７２の被収納物差入方向の外周を巻着できる棚板用表面材７３の位置に形成されている、棚板用表面材７３の左右方向すなわち延在方向に伸びる複数のＶカット溝７３６で区画されている。複数のＶカット溝７３６は、基板７３２の他方主面から一方主面に向けて且つ化粧シート７３４を残してＶカット加工で形成される溝である。棚板７において、棚板用表面材７３の一方の長手端面と他方の長手端面とは、棚板用中間板材７２の一方の短手端面と他方の短手端面と、棚板凸部７４を除いて、左右方向において位置が略揃っている。
【００９８】
棚板用表面材７３の、棚板用中間板材７２に巻着する前の寸法について詳述する。棚板用表面材７３の前後方向の長さ、すなわち、棚板用表面材７３の一方の短手端面から棚板用表面材７３の他方の短手端面までの長さは、例えば、６１３．９ｍｍであり。棚板用表面材７３の左右方向の長さ、すなわち、棚板用表面材７３の一方の長手端面から棚板用表面材７３の他方の長手端面までの長さは、棚板７の左右方向の棚板凸部７４を除く長さと同じ、例えば、３７６ｍｍである。棚板用表面材７３の上下方向の長さ（厚み）は、例えば、２．７ｍｍである。
【００９９】
複数のＶカット溝７３６のＶ字角度について、棚板用中間板材７２の短手端面の外周のうち、後端側の角に対応する位置に形成されているもののＶ字角度は、例えば９０度であり、前端側の角に対応する位置に形成されているもののＶ字角度は、例えば７３度である。
【０１００】
＜第３の実施の形態＞
次に、本発明の第３の実施の形態に係る収納ボックス・ユニット１ｉについて説明する。なお、同一の構成要素については同一の符号を付し、上記と重複する説明については、簡潔に説明する又は説明を省略する。
【０１０１】
収納ボックス・ユニット１ｉは、第２の実施の形態に係る収納ボックス・ユニット１ｈと同様に、中空の略直方体形状で前面を開口する箱状のものであり、その内面で衣類・食器・書籍等の多様な生活品を収納することができる収納ボックスである。さらに、収納ボックス・ユニット１ｉは、単体で収納ボックスとして使用できるばかりでなく、２つ以上の収納ボックス・ユニット１ｉ又は他の形態の収納ボックス・ユニット１、１ｈと組み合わせて多様な形態で使用することができ、例えば大型の収納棚、テレビ・ボードとして使用することや、収納間仕切りとしても使用することができるものである。
【０１０２】
図２５に示すように、収納ボックス・ユニット１ｉは、天部２と側部４ｉと底部６と２つの棚板７と側部８ｉと背板９とにより構成される。収納ボックス・ユニット１ｉは、第２の実施の形態に係る収納ボックス・ユニット１ｈに比して、棚板７を１枚多く設けられたものであり、収納ボックス・ユニット１の内側において３つの収納空間を形成するものである。天部２と側部４ｉと底部６と側部８ｉとは、一枚の板状体１０ｉ（図示しない）が複数の隅部形成溝１１によって区画されて、形成されている。すなわち、収納ボックス・ユニット１ｉは、板状体１０ｉが折りたたまれて箱形に形成され、さらに、２つの棚板７を配置されて、天部２と２つの側部４ｉ、８ｉと底部６と棚板７とにより構成されている。
【０１０３】
以下においては、本発明のその他の実施の形態を説明する。
【０１０４】
補強材５０は、収納ボックス・ユニット１、１ｈ、１ｉの前面３近傍の位置に相当する板状体１０、１０ｈ、１０ｉの位置に嵌装されている場合に限定されず、被収納物差入方向の任意の位置に嵌装されていてもよい。すなわち、補強材５０は、板状体１０、１０ｈ、１０ｉの前後の任意の位置に嵌装されていてもよい。
【０１０５】
補強材５０は、収納ボックス・ユニット１、１ｈ、１ｉすなわち板状体１０、１０ｈ、１０ｉに四角柱状ないし棒状の部材が１本嵌装されている場合に限定されず、複数本嵌装されていてもよい。例えば、補強材５０は、板状体１０の前端面１２ｆ近傍と後端面１２ｇ近傍とに平行に２本嵌装されていてもよい。
【０１０６】
補強材５０は、図２６に示すように、その横断面形状が、長方形状に限定されず、図２６（ａ）の正方形状、図２６（ｂ）の円形状、図２６（ｃ）のＥ字状、図２６（ｄ）のＬ字状、図２６（ｅ）の中空状、又は、図２６（ｆ）の略コの字状であってもよい。さらに、補強材５０は、図示していないが、板状体１０の被収納物差入方向及び延在方向にわたる平面状であってもよい。また、補強材５０は、四角柱状の場合であっても、その横断面の寸法は、５ｍｍ×１０ｍｍの場合に限定されず、例えば、５ｍｍ×１５ｍｍ、６ｍｍ×１０ｍｍであってもよい。
【０１０７】
補強材５０は、その延在方向の長さが、板状体１０、１０ｈ、１０ｉの延在方向の全長と同じ長さである場合に限定されず、板状体１０、１０ｈ、１０ｉの延在方向の全長よりも短い長さであってもよい。すなわち、補強材５０は、収納ボックス・ユニット１、１ｈ、１ｉの天部２、側部４、８、４ｈ、８ｈ、４ｉ、８ｉ、底部６の両端に形成される隅部形成溝１１、板状体の一方端部１２ａ又は板状体の他方端部１２ｂよりも延在方向内側に嵌装されていてもよい。
【０１０８】
補強材５０は、金属質の材料で形成されている場合であっても、アルミニウムを材料とする場合に限定されず、鉄、銅、ステンレス等の他の金属物質で形成されていてもよい。さらに、補強材５０は、金属質の材料で形成されている場合に限定されず、木材より剛性及び強度を有する材料で形成されていればよく、例えば、炭素繊維強化プラスチックで形成されていてもよい。
【０１０９】
板状体１０、１０ｈ、１０ｉの厚みは、７．９ｍｍに限定されず、５．０ｍｍ以上であればよい。なお、収納ボックス・ユニット１、１ｈ、１ｉの意匠性を向上する観点からは、板状体１０、１０ｈ、１０ｉの厚みは、１０ｍｍ以下であることが好ましい。
【０１１０】
棚板７は、補強材５０が嵌装されていてもよい。また、収納ボックス・ユニット１ｈにおいて、棚板７は、用いられていなくてもよい。
【０１１１】
Ｖカット溝３６又は隅部形成溝１１は、Ｖカット加工により形成される場合に限定されず、他の切削加工により形成されてもよい。また、Ｖカット溝３６又は隅部形成溝１１の断面形状は、Ｖの字状又はＶの字を組み合わせた形状に限定されず、Ｕの字状又はＶの字の先端のみ丸く加工された形状で形成されていてもよい。
【０１１２】
天部２、側部４、底部６、側部８は、平面状に形成されている場合に限定されず、凹凸、段差又は折れ曲がり部があるように形成されていてもよい。さらに、収納ボックス・ユニット１、１ｈ、１ｉは、正面視において、方形に形成されている場合に限定されず、多角形状に形成されていてもよい。
【０１１３】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配置等に関して、様々の変更を加えることができるものであり、それらは、本発明に含まれるものである。
【０１１４】
例えば、本明細書において、「嵌装」とは、補強材５０が補強材嵌装用溝２９、３８、３９に密嵌している場合すなわち密着して嵌められている場合に限定されず、遊嵌すなわち遊びをもった状態で嵌められていること、又は、緩嵌すなわちゆるやかに嵌められていること、を含む。
【符号の説明】
【０１１５】
１、１ｈ、１ｉ    収納ボックス・ユニット
２          天部
３          前面
３ｆ１        第１前端面
３ｆ２        第２前端面
３ｆ３        第３前端面
４          側部
５          隅部
５ａ          第１の隅部
５ｂ          第２の隅部
５ｃ          第３の隅部
５ｄ          第４の隅部
６          底部
８          側部
７          棚板
７２        棚板用中間板材
７３        棚板用表面材
７３ｃ１      棚板用表面材第１構成部
７３ｃ２      棚板用表面材第２構成部
７３ｃ３      棚板用表面材第３構成部
７３ｃ４      棚板用表面材第４構成部
７３ｃ５      棚板用表面材第５構成部
７３ｃ６      棚板用表面材第６構成部
７３ｃ７      棚板用表面材第７構成部
７３２      基板
７３４      化粧シート
７３６      Ｖカット溝（溝）
７４        棚板凸部
７１３      背板用溝
９          背板
１０、１０ｈ、１０ｉ    板状体
１０ｐ１    第１主面
１０ｐ２    第２主面
１１        隅部形成溝
１１ａ        第１の隅部形成溝
１１ｂ        第２の隅部形成溝
１１ｃ        第３の隅部形成溝
１２ａ      板状体の一方端部
１２ｂ      板状体の他方端部
１２ｆ      板状体の前端面
１２ｆ１      板状体の第１前端面
１２ｆ２      板状体の第２前端面
１２ｆ３      板状体の第３前端面
１２ｇ      板状体の後端面
１３        背板用溝
１４        棚板用溝
２０        中間板材
２１        中間板材の一方の長手端面
２２        中間板材の他方の長手端面
２３        中間板材の一方の短手端面
２４        中間板材の他方の短手端面
２４ｏ      中間板材の短手端面の外周
２５        中間板材の上面
２６        中間板材の下面
２９        補強材嵌装用溝
３０        表面材
３０ｃ１      表面材第１構成部
３０ｃ２      表面材第２構成部
３０ｃ３      表面材第３構成部
３０ｃ４      表面材第４構成部
３０ｃ５      表面材第５構成部
３０ｃ６      表面材第６構成部
３１ｐ１    表面材の一方の長手端面
３１ｐ２    表面材の他方の長手端面
３１ｐ３    表面材の一方の短手端面
３１ｐ４    表面材の他方の短手端面
３２        基板
３２ｐ１    基板の一方主面
３２ｐ２    基板の他方主面
３４        化粧シート
３４ａ        板状体の第１主面の化粧シート
３４ｂ        板状体の第２主面の化粧シート
３６        Ｖカット溝（溝）
３６ａ        第１のＶカット溝
３６ｂ        第２のＶカット溝
３６ｃ        第３のＶカット溝
３６ｄ        第４のＶカット溝
３６ｅ        第５のＶカット溝
３６ｅ２    面取り部
３６ｅ２ａ、３６ｅ２ｂ  面取り部側面
３６ｅ４、３６ｅ５、３６ｅ６、３６ｅ７    側面
３８、３９        補強材嵌装用溝
４０        表面材の一方の長手端面
４２        表面材の他方の長手端面
４４        表面材の一方の短手端面
４６        表面材の他方の短手端面
５０        補強材
５１        補強材の上面
５２        補強材の下面
５３        補強材の前面
５４        補強材の後面
６０        接続金具
６２        本体部
６４        握持爪
６６        導入爪
ＭＤＦ      中密度繊維板
【図１】
2019129912.tif 000003
【図２】
2019129912.tif 000004
【図３】
2019129912.tif 000005
【図４】
2019129912.tif 000006
【図５】
2019129912.tif 000007
【図６】
2019129912.tif 000008
【図７】
2019129912.tif 000009
【図８】
2019129912.tif 000010
【図９】
2019129912.tif 000011
【図１０】
2019129912.tif 000012
【図１１】
2019129912.tif 000013
【図１２】
2019129912.tif 000014
【図１３】
2019129912.tif 000015
【図１４】
2019129912.tif 000016
【図１５】
2019129912.tif 000017
【図１６】
2019129912.tif 000018
【図１７】
2019129912.tif 000019
【図１８】
2019129912.tif 000020
【図１９】
2019129912.tif 000021
【図２０】
2019129912.tif 000022
【図２１】
2019129912.tif 000023
【図２２】
2019129912.tif 000024
【図２３】
2019129912.tif 000025
【図２４】
2019129912.tif 000026
【図２５】
2019129912.tif 000027
【図２６】
2019129912.tif 000028